(57)【要約】【課題】  移動通信端末装置の所定の位置に設置されたアンテナの性能がそのアンテナ付近に設置されたコネクタによって低下しない移動通信端末装置を提供する。【解決手段】  アンテナ２１を基板２３とほぼ垂直に移動通信端末装置の下部正面側に設置し、コネクタ２２を基板２３の背面側の下端部に設置する。【選択図】  図２
2006013623.tif 000002
【特許請求の範囲】
【請求項１】
筐体と、
前記筐体内に格納される基板と、
前記基板の一端部上に配置されたコネクタと、
前記基板を含む平面で分割される２空間のうち前記コネクタが配置された空間とは逆の空間内における前記基板の一端部付近に、前記基板と略垂直に設けられた板状のアンテナと
を有することを特徴とする移動通信端末装置。
【請求項２】
前記アンテナが、前記基板の一端部の延長方向に位置する前記筐体の内壁に設けられた
ことを特徴とする請求項１に記載の移動通信端末装置。
【請求項３】
前記アンテナが、メッキにより形成された
ことを特徴とする請求項１に記載の移動通信端末装置。
【請求項４】
前記アンテナは板金加工されたものであり、かつ、弾性を有する給電部と一体形成されたものである
ことを特徴とする請求項１に記載の移動通信端末装置。
【発明の詳細な説明】
【技術分野】
【０００１】
本発明は、移動通信端末装置に係り、特にその装置のアンテナに関する。
【背景技術】
【０００２】
移動通信端末装置の下部（以後、２つ折型などの折り畳み型の移動通信端末装置にあっては、折り畳みを開いて使用中に下部となる部分を含んで下部と称する。）にアンテナを設置することが知られている（例えば、特許文献１参照。）。この下部に設置されたアンテナは、例えば、そのアンテナによって受信された電波と上部に設置されたアンテナによって受信された電波とをダイバーシティ処理することによって優れた電波受信特性を得るために用いられている。
【０００３】
ダイバーシティ処理の効果を高めるために、上記２つのアンテナの間の距離を大きくすることが望ましい。そのため、一方のアンテナは移動通信端末装置の下部に設置され、他方のアンテナは移動通信端末装置の上部に設置される。
【０００４】
一方、移動通信端末装置の下部に、コネクタを設置することが知られている。このコネクタは、例えば、パソコンとの間をケーブルによって接続して通信し、または、電源との間をケーブルによって接続して移動通信端末装置の充電池を充電するために用いられている。移動通信端末装置が自動車の車内で用いられる際、移動通信端末装置の側面を保持して固定されることが行われている。そのため、コネクタは、移動通信端末装置の下部に設置される。
【特許文献１】特開２０００−２２６０９号公報（第２頁、図４）
【発明の開示】
【発明が解決しようとする課題】
【０００５】
しかしながら、上述した特許文献１に開示されている方法では、移動通信端末装置の下部に設置されたアンテナの性能がそのアンテナ付近に設置されたコネクタによって低下する問題点があった。即ち、そのアンテナの利得がコネクタの金属部分の影響によって減少し、また、そのアンテナがコネクタを介して行われる通信に依存するノイズを受信することがあった。
【０００６】
本発明は、上記問題点を解決するためになされたもので、移動通信端末装置の所定の位置に設置されたアンテナの性能がそのアンテナ付近に設置されたコネクタによって低下しない移動通信端末装置を提供することを目的とする。
【課題を解決するための手段】
【０００７】
上記目的を達成するために、本発明の移動通信端末装置は、筐体と、前記筐体内に格納される基板と、前記基板の一端部上に配置されたコネクタと、前記基板を含む平面で分割される２空間のうち前記コネクタが配置された空間とは逆の空間内における前記基板の一端部付近に、前記基板と略垂直に設けられた板状のアンテナとを有することを特徴とする。
【発明の効果】
【０００８】
本発明によれば、移動通信端末装置の所定の位置に設置されたアンテナの性能がそのアンテナ付近に設置されたコネクタによって低下しない移動通信端末装置を提供することができる。
【発明を実施するための最良の形態】
【０００９】
以下に、本発明による移動通信端末装置の実施の形態を、図面を参照して説明する。図１は、本発明の実施形態に係る移動通信端末装置の概観を示す図であり、図１（ａ）は正面図を、図１（ｂ）は側面図を、図１（ｃ）は背面図を、図１（ｄ）は底面図をそれぞれ示す。
【００１０】
この移動通信端末装置の正面には、受話器１１と、ＬＣＤ１２と、キー１３と、送話器１４とが設置されている。また、この装置の内部には、ほぼ正面と背面の中央部に正面と並行に基板（図１には図示せず）が設置され、上部に上部アンテナ１５が設置されている。更に、この装置の内部には、底面近くの正面側には下部アンテナ（以後、単にアンテナと称する。）２１が設置され、また、底面近くの背面側にはコネクタ２２が設置されて、筐体の底面に設けられた開口部（図示せず）を通して、ケーブルのコネクタ（図示せず）と接続可能となっている。
【００１１】
図２は、この移動通信端末装置の内部の下部の斜視図を示す。この斜視図は、筐体の記載を省略し、背面側から斜視した図である。この装置の内部のほぼ中央部に基板２３が設置され、基板２３の最も底面に近い背面側の端部にコネクタ２２が設置されている。また、筐体底部内壁の正面側には板金加工された板状のアンテナ２１が取り付けられ、または、貼り付けられている。
【００１２】
更に、アンテナ２１と一体に形成され、弾性を有する給電部２４が基板２３の所定の導電部（図示せず）に接触するように設けられている。なお、アンテナ２１は、板金加工されたものとしたが、これに限るものではない。例えば、筐体底部内壁の正面側にメッキされたものであっても良い。また、樹脂ブロックにメッキされたものであり、その樹脂ブロックが基板２３に取り付けられ、または、貼り付けられていても良い。
【００１３】
また、アンテナ２１は、板状であるとしたが、これは完全な平面状であることに限らない。例えば、筐体の形状に依存した曲面状であっても良い。更には、アンテナ２１は、棒状であっても良い。棒状の場合、その断面は任意であり、円形であっても良く、多角形であっても良い。
【００１４】
図３は、図１に示す移動通信端末装置のＡ−Ａ断面を示す図であり、図２に示す下部に対応する部分のみを示す。また、図２と同様に、筐体の記載を省略している。アンテナ２１は、基板２３とほぼ垂直方向に基板２３より正面側に、かつ、基板２３より下に（即ち、この装置の底面近くに）はみ出して設置されているが、下に設置されていることに限るものではない。または、少なくとも基板２３のグランド面（図示せず）より下に設置されているが、下に設置されていることに限るものではない。
【００１５】
上記のように構成された移動通信端末装置においては、アンテナ２１がこの装置の底部の正面側に設置され、コネクタ２２がこの装置の底部の背面側に設置されているため、アンテナ２１とコネクタ２２の間の距離が大きい。そこで、コネクタ２２から発生するノイズの影響によってアンテナ２１の性能が劣化することを防ぐことができる。また、コネクタ２２の金属部分による影響によってアンテナ２１の性能が劣化することを防ぐことができる。
【００１６】
更に、アンテナ２１が基板２３と垂直に、かつ、基板２３より下に設置されているため、そのグランド面による影響によってアンテナ２１の性能が劣化することを防ぐことができる。
【００１７】
次に、上記のように設置されたアンテナ２１の放射パターンのシミュレーション結果を説明する。図４は、アンテナ２１の放射パターンのシミュレーション結果を実線で、また、比較例の移動通信端末装置のアンテナの放射パターンのシミュレーション結果を破線で示す。
【００１８】
ここで、比較例のアンテナの近傍の斜視図を図５に示す。比較例のアンテナの近傍は、図２に示す本実施形態のアンテナ２１の近傍と類似しており、同じ部分には同じ符号を付して説明を省略する。比較例のアンテナ２１ａは、コネクタ２２の背面側の筐体内側に取り付けられ、スプリングピンからなる給電部２４ａを介して基板２３の所定の導電部（図示せず）と接続されている。
【００１９】
なお、比較例のアンテナ２１ａと基板２３との間にはコネクタ２２が設置されているため、これらの間の距離が大きい。そのため、アンテナ２１ａと一体に形成され、弾性を有する給電部によって基板２３の所定の導電部に接触することは不可能である。
【００２０】
比較例のアンテナ２１ａの放射パターンは、背面方向から下方向にかけて、大きな値を示しているが、正面方向には小さな値を示している。これは、コネクタ２２の金属部分及び基板２３のグランド面の影響によるものである。一方、本実施形態のアンテナ２１の放射パターンは、背面方向と正面方向でほぼ対称であることを示している。
【００２１】
そのため、本実施形態の移動通信端末装置を、例えば金属製の机に背面を下に置いて通信した場合、その机の影響による電波の送受信性能の劣化を防ぐことができる。また、本実施形態の移動通信端末装置を、利用者が手に持って通話する場合、その手によって背面が覆われることが多いが、その手による電波の送受信性能の劣化を防ぐことができる。
【００２２】
以上の説明は、アンテナ２１及びコネクタ２２が移動通信端末装置の底面近くに設置されたものとしたが、これに限るものではない。例えば、移動通信端末装置の頂面近くに設置されていても良い。また、以上の説明は、移動通信端末装置として携帯電話機を例にとって説明したが、これに限ることはない。ＰＤＡ（Personal Digital Assistant）、パソコン、家電製品など、通信を行うあらゆる携帯型の装置に適用することも当然に可能である。本発明は以上の構成に限定されるものではなく、種々の変形が可能である。
【図面の簡単な説明】
【００２３】
【図１】本発明の実施形態に係る移動通信端末装置の概観を示す図。
【図２】本発明の実施形態に係る移動通信端末装置の下部の斜視図。
【図３】本発明の実施形態に係る移動通信端末装置の下部の断面図。
【図４】本発明の実施形態に係る移動通信端末装置のアンテナの放射パターンのシミュレーション結果及び比較例のアンテナの放射パターンのシミュレーション結果を示す図。
【図５】比較例のアンテナが設置された移動通信端末装置の下部の斜視図。
【符号の説明】
【００２４】
２１  アンテナ
２１ａ  アンテナ
２２  コネクタ
２３  基板
２４  給電部
２４ａ  給電部
【図１】
2006013623.tif 000003
【図２】
2006013623.tif 000004
【図３】
2006013623.tif 000005
【図４】
2006013623.tif 000006
【図５】
2006013623.tif 000007